(57)【要約】      （修正有）【課題】太陽電池ユニットの設置位置を容易に変更可能なシャッター装置を提供する。【解決手段】太陽電池ユニット１８を備えたシャッター装置１であって、シャッター装置１の外装部をなすカバー部材１６を有し、カバー部材１６は、太陽電池ユニット１８が回転軸２２に沿う方向にスライド可能に係合する係合部をなす溝部１６ｅを有している。【選択図】図１
2020045727.tif 000002
【特許請求の範囲】
【請求項１】
太陽電池ユニットを備えたシャッター装置であって、
当該シャッター装置の外装部をなすカバー部材を有し、
前記カバー部材は、前記太陽電池ユニットがスライド可能に係合する係合部を有していることを特徴とするシャッター装置。
【請求項２】
請求項１に記載のシャッター装置であって、
前記カバー部材の内側にシャッターカーテンが巻き付けられる回転軸を備え、
前記係合部は、前記回転軸に沿う方向に設けられ、前記カバー部材の内側に窪む溝部であることを特徴とするシャッター装置。
【請求項３】
請求項２に記載のシャッター装置であって、
前記溝部は、開放されている端部に当該溝部の幅を狭める方向に突出する突出片を備え、
前記太陽電池ユニットは、前記溝部の外側に配置される太陽電池モジュールと、前記溝部の内側に配置される裏板部とを有し、
前記太陽電池モジュールを貫通するビスが前記裏板部に螺合されて前記突出片を前記太陽電池モジュールと前記裏板部とで挟持して取り付けられていることを特徴とするシャッター装置。
【請求項４】
請求項３に記載のシャッター装置であって、
前記太陽電池モジュールと前記裏板部との間に、前記太陽電池モジュールから延びるケーブルを止水する止水部材を備えていることを特徴とするシャッター装置。
【請求項５】
請求項４に記載のシャッター装置であって、
前記ケーブルは、前記溝部に配線されており、前記カバー部材の端部から当該カバー部材の内側に引き込まれていることを特徴とするシャッター装置。
【発明の詳細な説明】
【技術分野】
【０００１】
本発明は、太陽電池ユニットを備えるシャッター装置に関する。
【背景技術】
【０００２】
従来からシャッター装置として、たとえば、シャッターカーテン収納ボックスに備えられた太陽電池で光電変換した電力を蓄電器に蓄え、周囲が暗くなると光感知スイッチがオンすることにより、蓄電器から電力が供給されて発光素子が点灯するシャッター装置は知られている（例えば、特許文献１参照）。このシャッター装置では、太陽電池がシャッターカーテン収納ボックスの上面または前面に取り付けられている。
【先行技術文献】
【特許文献】
【０００３】
【特許文献１】特開２００３−３３６４６７号公報
【発明の概要】
【発明が解決しようとする課題】
【０００４】
太陽電池で、より効率良くは発電する為には、太陽電池により多くの太陽光が照射されることが望ましい。しかしながら、太陽光が照射される位置は、シャッター装置が設置場所によって様々であり、シャッター装置において太陽電池を配置する場所が決められている場合には、十分な日照が得られない虞があるという課題がある。
本発明は、かかる課題に鑑みてなされたものであり、その目的とするところは、太陽電池の設置位置を容易に変更可能なシャッター装置を提供することにある。
【課題を解決するための手段】
【０００５】
かかる目的を達成するために本発明のシャッター装置は、太陽電池ユニットを備えたシャッター装置であって、当該シャッター装置の外装部をなすカバー部材を有し、前記カバー部材は、前記太陽電池ユニットがスライド可能に係合する係合部を有していることを特徴とするシャッター装置である。
本発明の他の特徴については、本明細書及び添付図面の記載により明らかにする。
【発明の効果】
【０００６】
本発明によれば、太陽電池の設置位置を容易に変更可能なシャッター装置を提供することが可能である。
【図面の簡単な説明】
【０００７】
【図１】本実施形態に係るシャッター装置の縦断面図である。
【図２】太陽電池ユニットが取り付けられているカバー部材の縦断面図である。
【図３】太陽電池ユニットが取り付けられているカバー部材の正面図である。
【図４】カバー部材に取り付けられている太陽電池モジュール及と裏板部及び止水部とを示す図である。
【図５】太陽電池のケーブルを溝部内に配線した例を示す縦断面図である。
【発明を実施するための形態】
【０００８】
以下、本発明の一実施形態に係るシャッター装置について図面を参照して説明する。
本実施形態のシャッター装置１は、図１、図２に示すように、例えば引き違い障子２を備えた建具３が取り付けられている建物の外壁より屋外側に突出させて設けられており、外部に取り付けけられている太陽電池モジュール１８１により発電された電気をバッテリー１７０に蓄積し、バッテリー１７０から供給される電力によりシャッターカーテン２１をシャッターケース２５内に巻き上げ、または、シャッターケース２５から繰り出すように構成されている。
【０００９】
本実施形態のシャッター装置１は、シャッター枠１０と、シャッター枠１０内における上端側の部位に収容されるシャッター本体２０と、シャッター枠１０に収容されたシャッター本体２０の屋外側に突出する部位の側部を覆うサイドキャップ１５と、シャッター枠１０に収容されたシャッター本体２０の屋外側を覆うシャッター装置１の外装部をなすカバー部材１６と、カバー部材１６に取り付けられるバッテリーユニット１７と、バッテリーユニット１７が備えるバッテリー１７０に蓄電する電気を発電するための太陽電池ユニット１８と、を有している。
【００１０】
シャッター本体２０は、図１に示すように、屋内外を仕切るシャッターカーテン２１と、シャッターカーテン２１が巻き付けられモーターにより駆動される回転軸２２と、回転軸２２が回動自在に支持されシャッターカーテン２１を巻き付けた状態で収容されるシャッターボックス２３と、を有している。このとき回転軸２２の軸方向が左右方向に沿って配置されている。
【００１１】
シャッター枠１０は、建具３の枠体３０が有する縦枠(不図示)の各々外側に配置され、枠体３０より上方まで延出されている左右一対のシャッター縦枠１１と、枠体３０が有する上枠３１の上に配置され一対のシャッター縦枠１１間に架け渡されたシャッター上枠１２と、一対のシャッター縦枠１１の上端に架け渡されたルーフ板１３と、シャッター本体２０を支持する左右一対の支持部材１４と、を有している。左右のシャッター縦枠１１、シャッター上枠１２、ルーフ板１３及びサイドキャップ１５により形成される空間Ｓは、屋外側がカバー部材１６により被われている。
【００１２】
カバー部材１６は、ルーフ板１３の屋外側の端部に回動自在に支持され、空間Ｓの開口１０ａを閉止可能に設けられている。カバー部材１６はルーフ板１３の屋外側の部位に支持されるカバー支持部１６ａと、カバー支持部１６ａから屋外側に向かってほぼ水平に延出されたカバー上面部１６ｂと、カバー上面部１６ｂの屋外側の縁から垂設されたカバー垂壁部１６ｃと、カバー垂壁部１６ｃの下端から屋内側に向かって延出されたカバー下面部１６ｄと、を有している。
【００１３】
カバー上面部１６ｂと、カバー垂壁部１６ｃとには、左右方向、すなわち、回転軸２２に沿って太陽電池ユニット１８がスライド可能に係合する係合部としての溝部１６ｅが設けられており、太陽電池ユニット１８は、溝部１６ｅ係合されることにより取り付けられ、左右方向にスライドすることにより取り付け位置を変更することが可能である。カバー上面部１６ｂと、カバー垂壁部１６ｃとに設けられている溝部１６ｅは、同形状である。ここでは、カバー垂壁部１６ｃに設けられている溝部１６ｅを例に挙げて説明する。
【００１４】
溝部１６ｅは、図２に示すように、カバー上面部１６ｂ及びカバー垂壁部１６ｃから空間Ｓ側に窪んだ底部１６ｆと、溝部１６ｅの幅方向において底部１６ｆの両端部とカバー上面部１６ｂまたはカバー垂壁部１６ｃとを繋ぎ、溝部１６ｅの幅方向において対向する一対の側壁部１６ｇと、カバー上面部１６ｂ及びカバー垂壁部１６ｃが一対の側壁部１６ｇよりも幅方向における内側に各々突出する一対の突出片１６ｈと、を有している。各溝部１６ｅは、一対の突出片１６ｈの先端の間が開放されてスリット１６ｉをなしている。尚、図２においては、カバー垂壁部１６ｃの下側の溝部１６ｅに太陽電池ユニット１８が取り付けられている状態を示し、カバー垂壁部１６ｃの上側の溝部１６ｅに太陽電池モジュール１８１が取り外された状態の裏板部１８２と止水部材１８４とを示している。
【００１５】
太陽電池ユニット１８は、光電変換素子を備えた板状の太陽電池モジュール１８１と、太陽電池モジュール１８１を貫通するビス１９が螺合される裏板部１８２と、を有している。図３、図４に示すように、太陽電池モジュール１８１は、左右方向に長い長方形状をなしており、長手方向における両端部近傍にビス１９が貫通する貫通孔１８１ａが設けられている。太陽電池モジュール１８１の表面側に光電変換素子が露出され、裏面側には光電変換素子と繋がったケーブル１８３が引き出されている。ケーブル１８３は、一方の貫通孔１８１ａの近傍に設けられている。
【００１６】
裏板部１８２は、溝部１６ｅ内に挿入される板状の部材であり、スリット１６ｉの幅より広い幅を有している。裏板部１８２は、ビス１９が螺合されるビス孔１８２ａと、ケーブル１８３が挿通される切欠部１８２ｂとを有し、ビス孔１８２ａと切欠部１８２ｂとが設けられる程度の大きさ、すなわち、太陽電池モジュール１８１よりも十分に小さなピース状の板材である。
【００１７】
太陽電池ユニット１８は、太陽電池モジュール１８１の両端部に設けられた貫通孔１８１ａに各々挿通されたビス１９が裏板部１８２のビス孔１８２ａに螺合されている。太陽電池ユニット１８をカバー部材１６に取り付ける際には、ビス１９を緩めた状態で、太陽電池モジュール１８１がカバー部材１６の外側に位置し、裏板部１８２が溝部１６ｅ内に位置するように、カバー部材１６の左右方向における端部からスライドさせる。
【００１８】
スライドされた太陽電池ユニット１８は、太陽電池モジュール１８１と裏板部１８２との間に突出片１６ｈを挟むように配置され、更にスライドさせて所定の位置に移動させてビス１９を締め付けることにより、太陽電池ユニット１８がカバー部材１６に取り付けられる。太陽電池ユニット１８のケーブル１８３は、溝部１６ｅの底部１６ｆに設けられた開孔１６ｊから空間Ｓ内に引き込まれ、カバー部材１６における左右方向の端部からバッテリーユニット１７内に引き込まれてバッテリー１７０に繋がっている。
【００１９】
このとき、ケーブル１８３と近い位置に設けられている裏板部１８２の切欠部１８２ｂからケーブル１８３が引き出されており、太陽電池モジュール１８１と裏板部１８２との間に、エチレンプロピレンジエンゴム（ＥＰＤＭ）等のゴム材料でなる止水部材１８４が介在されている。
【００２０】
止水部材１８４は、スリット１６ｉの幅より僅かに狭い幅をなし、裏板部１８２と重なったときにビス１９の貫通を妨げないサイズに形成されている。止水部材１８４には、端縁から中央に向かって切り込み１８４ａが設けられており、ケーブル１８３は、切り込み１８４ａから止水部材１８４の中央に挿入されて、周囲が止水部材１８４により囲まれる。止水部材１８４は、太陽電池モジュール１８１と裏板部１８２との間のスリット１６ｉに配置され、ビス１９が締め込まれることにより太陽電池モジュール１８１と裏板部１８２とにより圧縮される。
【００２１】
本実施形態のシャッター装置１によれば、当該シャッター装置１の外装部をなすカバー部材１６が太陽電池ユニット１８とスライド可能に係合する溝部１６ｅを有しているので、溝部１６ｅに係合している太陽電池ユニット１８を溝部１６ｅに沿ってスライドさせることにより、太陽電池モジュール１８１の位置を容易に変更することが可能である。
【００２２】
また、溝部１６ｅは、シャッターカーテン２１が巻き付けられる回転軸２２が設けられている方向、すなわちシャッター装置１に向かって左右方向に沿っているので、太陽電池ユニット１８の位置を左右方向に移動することが可能である。また、太陽電池ユニット１８が係合されるのは、カバー部材１６の内側、すなわち空間Ｓ側に窪む溝部１６ｅなので、裏板部１８２を溝部１６ｅ内に配置することにより、太陽電池モジュール１８１をカバー部材１６により近づけて配置することが可能である。このため、カバー部材１６からの突出量が抑えられるので、意匠性に優れている。
【００２３】
また、太陽電池ユニット１８の太陽電池モジュール１８１を貫通するビス１９が裏板部１８２に螺合されて、溝部１６ｅの突出片１６ｈを太陽電池モジュール１８１と裏板部１８２とで挟持して取り付けられているので、太陽電池ユニット１８を屋外側から容易に固定することが可能である。また、ビス１９が裏板部１８２に螺合されて、溝部１６ｅの突出片１６ｈを太陽電池モジュール１８１と裏板部１８２とで挟持するので、ビス１９を緩めることにより、太陽電池ユニット１８を取り外すことなく、溝部１６ｅに係合した状態で太陽電池ユニット１８を移動させることが可能である。このため、太陽電池ユニット１８及び太陽電池モジュール１８１の配置を変更し易く、且つ、太陽電池ユニット１８を固定しやすいシャッター装置１を提供することが可能である。
【００２４】
また、太陽電池モジュール１８１と裏板部１８２との間に止水部材１８４が設けられているので、太陽電池モジュール１８１から延びるケーブル１８３を雨水等に晒されることを防止することが可能である。
【００２５】
上記実施形態においては、太陽電池ユニット１８のケーブル１８３が溝部１６ｅの底部１６ｆに設けられた開孔１６ｊから空間Ｓ内に引き込まれる例について説明したが、これに限るものではない。例えば、図５に示すように、溝部１６ｅに沿わせて配置し、カバー部材１６における左右方向の端部を通してバッテリー１７０に繋がっていてもよい。
【００２６】
この場合には、ケーブル１８３はカバー部材１６の端部から当該カバー部材１６の内側に引き込まれているので、外装部をなすカバー部材１６に開孔１６ｊを設けることなく、カバー部材１６の内側の空間Ｓに引き込むことが可能である。このため、カバー部材１６の内側に雨水等がより浸入し難いシャッター装置１を提供することが可能である。
【００２７】
また、ケーブル１８３は、溝部１６ｅに配線されて空間Ｓに引き込まれるため、ケーブル１８３が外部に露出し難い。このとき、ケーブル１８３を、カバー垂壁部１６ｃに設けられた溝部１６ｅに配置する場合であっても、下側の突出片１６ｈに沿わせておくとケーブル１８３が外部に露出し難い。このため、より意匠性に優れたシャッター装置１を提供することが可能である。
【００２８】
上記実施形態においては、太陽電池モジュール１８１と裏板部１８２とを有する太陽電池ユニット１８の、太陽電池モジュール１８１がビス止めされる裏板部１８２が、カバー部材１６に設けられた溝部１６ｅと係合してスライド移動する例について説明したが、これに限るものではない。例えば、太陽電池ユニットが、太陽電池モジュールであって係合部に係合可能な部位を備えている場合には、太陽電池ユニットは裏板部を有していなくとも構わない。また、太陽電池モジュールが、係合部に係合可能な裏板部以外の部材と共に構成されている場合には、前記係合可能な部材が係合部と係合してスライド移動可能な構成であっても構わない。
【００２９】
上記実施形態においては、カバー部材１６に設けられた溝部１６ｅを、太陽電池ユニット１８の係止部とした例について説明したが、これに限るものではない。例えば、太陽電池ユニットの裏面からフック部が突出しており、カバー部材の表面から突出してフック部が引っ掛けられる支持片が設けられていてもよい。また、太陽電池ユニットの太陽電池モジュールの裏面に溝が設けられており、溝が支持片に引っ掛けられる構成であっても、太陽電池ユニットがスライド可能に係合される構成であれば構わない。
【００３０】
また、上記実施形態においては、太陽電池モジュールにより発電した電力によりシャッターカーテン２１をシャッターケース２５内に巻き上げ、または、シャッターケース２５から繰り出すシャッター装置１について説明したが、これに限らず、太陽電池モジュールにより発電した電力を、照明を点灯するなどの各種電気装置の動作に用いるシャッター装置であっても構わない。
【００３１】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００３２】
本実施形態には、少なくとも以下の発明が含まれる。
太陽電池ユニットを備えたシャッター装置であって、当該シャッター装置の外装部をなすカバー部材を有し、前記カバー部材は、前記太陽電池ユニットがスライド可能に係合する係合部を有していることを特徴とするシャッター装置。
【００３３】
このようなシャッター装置によれば、シャッター装置の外装部をなすカバー部材が、太陽電池ユニットとスライド可能に係合する係合部を有しているので、係合部に係合している太陽電池ユニットを係合部に沿ってスライドさせることにより、太陽電池ユニットの位置を容易に変更することが可能である。
【００３４】
かかるシャッター装置であって、前記カバー部材の内側にシャッターカーテンが巻き付けられる回転軸を備え、前記係合部は、前記回転軸に沿う方向に設けられ、前記カバー部材の内側に窪む溝部であることを特徴とする。
【００３５】
このようなシャッター装置によれば、シャッターカーテンが巻き付けられる回転軸は、シャッター装置に向かって左右方向に沿って設けられているので、太陽電池ユニットの位置を左右方向に変更することが可能である。また、係合部はカバー部材の内側に窪む溝部なので、太陽電池ユニットをカバー部材により近づけて配置することが可能である。このため、カバー部材からの突出量が抑えられるので、意匠性に優れている。
【００３６】
かかるシャッター装置であって、前記溝部は、開放されている端部に当該溝部の幅を狭める方向に突出する突出片を備え、前記太陽電池ユニットは、前記溝部の外側に配置される太陽電池モジュールと、前記溝部の内側に配置される裏板部とを有し、前記太陽電池モジュールを貫通するビスが前記裏板部に螺合されて前記突出片を前記太陽電池モジュールと前記裏板部とで挟持して取り付けられていることを特徴とする。
【００３７】
このようなシャッター装置によれば、太陽電池ユニットの太陽電池モジュールを貫通するビスが裏板部に螺合されて、溝部の突出片を太陽電池モジュールと裏板部とで挟持して取り付けられているので、太陽電池ユニットを外側から容易に固定することが可能である。また、ビスが裏板部に螺合されて、溝部の突出片を太陽電池モジュールと裏板部とで挟持するので、ビスを緩めることにより、太陽電池ユニットを取り外すことなく、溝部に係合した状態で太陽電池ユニットを移動させることが可能である。このため、太陽電池ユニットの配置を変更し易く、且つ、太陽電池ユニットを固定しやすいシャッター装置を提供することが可能である。
【００３８】
かかるシャッター装置であって、前記太陽電池モジュールと前記裏板部との間に、前記太陽電池モジュールから延びるケーブルを止水する止水部材を備えていることを特徴とする。
【００３９】
このようなシャッター装置によれば、太陽電池モジュールと裏板部との間に止水部材が設けられているので、太陽電池モジュールから延びるケーブルを雨水等に晒されることを防止することが可能である。
【００４０】
かかるシャッター装置であって、前記ケーブルは、前記溝部に配線されており、前記カバー部材の端部から当該カバー部材の内側に引き込まれていることを特徴とする。
【００４１】
このようなシャッター装置によれば、ケーブルはカバー部材の端部から当該カバー部材の内側に引き込まれているので、外装部をなすカバー部材に開孔を設けることなく、カバー部材の内側に引き込むことが可能である。このため、カバー部材の内側に雨水等がより浸入し難いシャッター装置を提供することが可能である。また、ケーブルは、溝部に配線されてカバー部材の内側に引き込まれるため、ケーブルが外部に露出し難い。このため、より意匠性に優れたシャッター装置を提供することが可能である。
【符号の説明】
【００４２】
１  シャッター装置、１６  カバー部材、１６ｅ  溝部、１６ｈ  突出片、
１６ｉ  スリット、１８  太陽電池ユニット、１９  ビス、２１  シャッターカーテン、
２２  回転軸、１８１  太陽電池モジュール、１８２  裏板部、１８３  ケーブル、
１８４  止水部材、
【図１】
2020045727.tif 000003
【図２】
2020045727.tif 000004
【図３】
2020045727.tif 000005
【図４】
2020045727.tif 000006
【図５】
2020045727.tif 000007